(57)【要約】  対話型質問形式によってユーザが想定する施設を当てるゲームのログデータから、施設の属性データを生成する装置及びその方法に関する。  対話型質問形式によってユーザが想定する施設を当てるゲームにおいて、該ゲームから得られる質問及び回答のログデータを該施設と関連付けてログデータベースに格納し、該施設に関する属性データを生成するための対象となる施設を対象施設として特定し、該特定された対象施設に関するログデータをログデータベースから抽出し、抽出されたログデータに基づいて、該対象施設に関する属性データを生成する。
2014112106.tif 000002
【特許請求の範囲】
【請求項１】
対話型質問形式によってユーザが想定する施設を当てるゲームにおいて、該ゲームから得られる質問及び回答のログデータを該施設と関連付けて格納するログデータベースと、
前記施設に関する属性データを生成するための対象となる施設を対象施設として特定する対象施設特定部と、
前記特定された対象施設に関するログデータを前記ログデータベースから抽出するログデータ抽出部と、
前記抽出されたログデータに基づいて、前記対象施設に関する属性データを生成する属性データ生成部と、
を備える、施設の属性データ生成装置。
【請求項２】
前記抽出されたログデータに基づいて、前記質問に対する回答の信頼度を評価する信頼度評価部、を備え、
前記属性データ生成部は、前記信頼度を考慮して前記属性データを生成する、請求項１に記載の施設の属性データ生成装置。
【請求項３】
前記信頼度は、前記質問に対する回答の回答数、及び／又は、前記質問に対する回答のバラツキ度合いに基づいて規定される、請求項１又は２に記載の施設の属性データ生成装置。
【請求項４】
請求項１〜３のいずれか一項に記載の属性データ生成装置で生成された施設の属性データを、該施設に関連付けて保存する属性データ保存部と、
施設検索のための質問を表示する質問表示部と、
前記施設検索のための質問に対する回答の入力を受け付ける入力部と、
前記入力された回答と前記属性データとに基づいて、該入力された回答に該当する施設を検索する施設検索部と、
を備える、施設検索装置。
【請求項５】
対話型質問形式によってユーザが想定する施設を当てるゲームにおいて、該ゲームから得られる質問及び回答のログデータを該施設と関連付けてログデータベースに格納する格納ステップと、
対象施設特定部が、前記施設に関する属性データを生成するための対象となる施設を対象施設として特定する対象施設特定ステップと、
ログデータ抽出部が、前記特定された対象施設に関するログデータを前記ログデータベースから抽出するログデータ抽出ステップと、
属性データ生成部が、前記抽出されたログデータに基づいて、前記対象施設に関する属性データを生成する属性データ生成ステップと、
を備える、施設の属性データ生成方法。
【請求項６】
信頼度評価部が、前記抽出されたログデータに基づいて、前記質問に対する回答の信頼度を評価する信頼度評価ステップ、を備え、
前記属性データ生成ステップでは、前記信頼度を考慮して前記属性データを生成する、請求項５に記載の施設の属性データ生成方法。
【請求項７】
前記信頼度は、前記質問に対する回答の回答数、及び／又は、前記質問に対する回答のバラツキ度合いに基づいて規定される、請求項５又は６に記載の施設の属性データ生成方法。
【請求項８】
請求項５〜７のいずれか一項に記載の属性データ生成方法で生成された施設の属性データを、該施設に関連付けて保存する属性データ保存ステップと、
質問表示部が、施設検索のための質問を表示する質問表示ステップと、
入力部が、前記施設検索のための質問に対する回答の入力を受け付ける入力ステップと、
施設検索部が、前記入力された回答と前記属性データとに基づいて、該入力された回答に該当する施設を検索する施設検索ステップと、
を備える、施設検索方法。
【請求項９】
施設の属性データを生成するためのコンピュータプログラムであって、コンピュータを、
対話型質問形式によってユーザが想定する施設を当てるゲームにおいて、該ゲームから得られる質問及び回答のログデータを該施設と関連付けてログデータベースに格納する格納手段と、
前記施設に関する属性データを生成するための対象となる施設を対象施設として特定する対象施設特定手段と、
前記特定された対象施設に関するログデータを前記ログデータベースから抽出するログデータ抽出手段と、
前記抽出されたログデータに基づいて、前記対象施設に関する属性データを生成する属性データ生成手段、
として機能させる、コンピュータプログラム。
【請求項１０】
前記コンピュータを、更に、
前記抽出されたログデータに基づいて、前記質問に対する回答の信頼度を評価する信頼度評価手段、として機能させ、
前記属性データ生成手段は、前記信頼度を考慮して前記属性データを生成する、請求項９に記載のコンピュータプログラム。
【請求項１１】
前記信頼度は、前記質問に対する回答の回答数、及び／又は、前記質問に対する回答のバラツキ度合いに基づいて規定される、請求項９又は１０に記載のコンピュータプログラム。
【請求項１２】
施設検索を行うためのコンピュータプログラムであって、コンピュータを、
請求項９〜１１のいずれか一項に記載のコンピュータプログラムで生成された施設の属性データを、該施設に関連付けて保存する属性データ保存手段と、
施設検索のための質問を表示する質問表示手段と、
前記施設検索のための質問に対する回答の入力を受け付ける入力手段と、
前記入力された回答と前記属性データとに基づいて、該入力された回答に該当する施設を検索する施設検索手段、
として機能させる、コンピュータプログラム。
【請求項１３】
請求項９〜請求項１２のいずれかに記載のコンピュータプログラムを記録する記録媒体。
【発明の詳細な説明】
【技術分野】
【０００１】
本発明は、対話型質問形式によってユーザが想定する施設を当てるゲームのログデータから、施設の属性データを生成する装置及びその方法に関する。
【背景技術】
【０００２】
近年のナビゲーション装置の普及に伴い、ナビゲーション装置において用いられる施設検索用の施設データベースが充実してきている。このような施設データベースは、例えば、施設の名称に、住所、電話番号、営業時間、料金等の固定的な属性が付与されることにより構成されている。
一方、対話型の質問形式によって、当該質問に対するユーザの回答に基づき、ユーザが想定している人物やキャラクターを特定するシステムが存在している（非特許文献１）。
本発明に関連する従来技術を開示する特許文献１も参照されたい。
【先行技術文献】
【特許文献】
【０００３】
【特許文献１】特開２００７−３２２８３６号公報
【非特許文献】
【０００４】
【非特許文献１】［ｏｎｌｉｎｅ］、［平成２４年１２月２４日検索］、インターネット＜ＵＲＬ：http://ja.wikipedia.org/wiki/Akinator＞
【発明の概要】
【発明が解決しようとする課題】
【０００５】
ユーザが施設検索を行う際、ユーザ側で行きたい施設、すなわち、検索対象の絞込みができている場合には、上記施設データベースを用いることによって好適に検索が可能となる。
一方、ユーザ側で、上記のような検索対象の絞込みはできていない場合でも、「家族で楽しめる施設に行きたい。」、「癒されるような場所に行きたい。」等、検索対象に対するユーザの感覚的なイメージがある場合がある。そして、このような場合、上記施設データべースによっては、当該イメージを反映した施設検索を行うことは困難である。そこで本発明者らは、ユーザの感覚的なイメージを反映可能な施設検索に好適に用いることができる施設の属性データを生成するため鋭意検討を重ねてきた。その結果、対話型質問形式によって予め定められた施設を当てるゲームの質問及び回答のログデータを利用することで、ユーザの感覚的なイメージに基づく属性データを生成可能なことに想到した。
【課題を解決するための手段】
【０００６】
この発明は上述の課題に鑑みてなされたものであり、その第１の局面は次のように規定される。即ち、
対話型質問形式によってユーザが想定する施設を当てるゲームにおいて、該ゲームから得られる質問及び回答のログデータを該施設と関連付けて格納するログデータベースと、
前記施設に関する属性データを生成するための対象となる施設を対象施設として特定する対象施設特定部と、
前記特定された対象施設に関するログデータを前記ログデータベースから抽出するログデータ抽出部と、
前記抽出されたログデータに基づいて、前記対象施設に関する属性データを生成する属性データ生成部と、
を備える、施設の属性データ生成装置。【０００７】
このように規定される第1の局面の属性データ生成装置によれば、対話型質問形式によってユーザが想定する施設を当てるゲームの質問及び回答のログデータから、属性データを生成するための対象施設に関するログデータを抽出し、当該抽出されたログデータに基づいて対象施設の属性データを生成する。このように、上記ゲームの質問及び回答のログデータを利用することにより、当該ユーザの回答から当該ユーザが対象施設に対して持つ感覚的なイメージを導き出し、当該イメージを反映させた属性データを生成することができる。
ここで、対話型質問形式によって予め定められた施設を当てるゲームとして、例えば、施設に関連付けられた質問と、当該質問に対する回答とが予め用意され、当該用意された回答と、上記質問に対してユーザが施設をイメージして行った回答とを比較することによって、ユーザがイメージしている施設の名称を当てることができるゲーム等が挙げられる。
上記属性データとは、対象施設に対するユーザの嗜好やイメージ等、ユーザの感覚を反映させた属性を有する情報である。【０００８】
この発明の第２の局面は次のように規定される。即ち、
第1の局面に規定の属性データ生成装置において、前記抽出されたログデータに基づいて、前記質問に対する回答の信頼度を評価する信頼度評価部、を備え、
前記属性データ生成部は、前記信頼度を考慮して前記属性データを生成する。【０００９】
このように規定される第２の局面に規定の属性データ生成装置によれば、上記属性データは、質問に対する回答の信頼度が高いログデータに基づいて生成されるため、より信頼性の高い属性データを生成することができる。
ここで、前記信頼度は、前記質問に対する回答の回答数、及び／又は、前記質問に対する回答のバラツキ度合いに基づいて規定されることとできる（第３の局面）。質問に対する回答の回答数が多ければ、より多くのユーザの上記対象施設に対するイメージを上記属性データに反映させることができるし、また、質問に対する回答のバラツキ度合いが小さければ、当該対象施設に対して多くのユーザが持つ統一的なイメージを上記属性データに反映させることができるためである。【００１０】
この発明の第４の局面は次のように規定される。即ち、
第１〜第３のいずれかの局面に規定の属性データ生成装置で生成された施設の属性データを、該施設に関連付けて保存する属性データ保存部と、
施設検索のための質問を表示する質問表示部と、
前記施設検索のための質問に対する回答の入力を受け付ける入力部と、
前記入力された回答と前記属性データとに基づいて、該入力された回答に該当する施設を検索する施設検索部と、
を備える、施設検索装置。【００１１】
このように規定される第４の局面に規定の施設検索装置によれば、上記第１〜第３のいずれかの局面に規定の属性データ生成装置で生成された属性データを利用して、例えば当該属性データに対応する質問をユーザに表示し、当該質問に対して入力されたユーザの回答と上記属性データとに基づいて、当該ユーザの回答に該当する施設を検索する。この施設検索において、ユーザが行きたい施設をイメージして、上記質問に対する回答を入力することにより、当該回答にマッチする属性データが付与された施設を検索することができる。このため、ユーザの感覚的なイメージを反映させた施設検索が可能となる。【００１２】
また、この発明の第５の局面は次のように規定される。即ち、
対話型質問形式によってユーザが想定する施設を当てるゲームにおいて、該ゲームから得られる質問及び回答のログデータを該施設と関連付けてログデータベースに格納する格納ステップと、
対象施設特定部が、前記施設に関する属性データを生成するための対象となる施設を対象施設として特定する対象施設特定ステップと、
ログデータ抽出部が、前記特定された対象施設に関するログデータを前記ログデータベースから抽出するログデータ抽出ステップと、
属性データ生成部が、前記抽出されたログデータに基づいて、前記対象施設に関する属性データを生成する属性データ生成ステップと、
を備える、施設の属性データ生成方法。
このように規定される第５の局面の発明によれば、第１の局面と同等の効果を奏する。【００１３】
この発明の第６の局面は次のように規定される。即ち、
信頼度評価部が、前記抽出されたログデータに基づいて、前記質問に対する回答の信頼度を評価する信頼度評価ステップ、を備え、
前記属性データ生成ステップでは、前記信頼度を考慮して前記属性データを生成する、請求項５に記載の施設の属性データ生成方法。
このように規定される第６の局面の発明によれば、第２の局面と同等の効果を奏する。【００１４】
この発明の第７の局面は次のように規定される。即ち、
前記信頼度は、前記質問に対する回答の回答数、及び／又は、前記質問に対する回答のバラツキ度合いに基づいて規定される、請求項５又は６に記載の施設の属性データ生成方法。
このように規定される第７の局面の発明によれば、第３の局面と同等の効果を奏する。【００１５】
この発明の第８の局面は次のように規定される。即ち、
請求項５〜７のいずれか一項に記載の属性データ生成方法で生成された施設の属性データを、該施設に関連付けて保存する属性データ保存ステップと、
質問表示部が、施設検索のための質問を表示する質問表示ステップと、
入力部が、前記施設検索のための質問に対する回答の入力を受け付ける入力ステップと、
施設検索部が、前記入力された回答と前記属性データとに基づいて、該入力された回答に該当する施設を検索する施設検索ステップと、
を備える、施設検索方法。
このように規定される第８の局面の発明によれば、第４の局面と同等の効果を奏する。【００１６】
更に、この発明の第９の局面は次のように規定される。即ち、
施設の属性データを生成するためのコンピュータプログラムであって、コンピュータを、
対話型質問形式によってユーザが想定する施設を当てるゲームにおいて、該ゲームから得られる質問及び回答のログデータを該施設と関連付けてログデータベースに格納する格納手段と、
前記施設に関する属性データを生成するための対象となる施設を対象施設として特定する対象施設特定手段と、
前記特定された対象施設に関するログデータを前記ログデータベースから抽出するログデータ抽出手段と、
前記抽出されたログデータに基づいて、前記対象施設に関する属性データを生成する属性データ生成手段、
として機能させる、コンピュータプログラム。
このように規定される第９の局面の発明によれば、第１の局面と同等の効果を奏する。【００１７】
この発明の第１０の局面は次のように規定される。即ち、
前記コンピュータを、更に、
前記抽出されたログデータに基づいて、前記質問に対する回答の信頼度を評価する信頼度評価手段、として機能させ、
前記属性データ生成手段は、前記信頼度を考慮して前記属性データを生成する、請求項９に記載のコンピュータプログラム。
このように規定される第１０の局面の発明によれば、第２の局面と同等の効果を奏する。【００１８】
この発明の第１１の局面は次のように規定される。即ち、
前記信頼度は、前記質問に対する回答の回答数、及び／又は、前記質問に対する回答のバラツキ度合いに基づいて規定される、請求項９又は１０に記載のコンピュータプログラム。
このように規定される第１１の局面の発明によれば、第３の局面と同等の効果を奏する。【００１９】
この発明の第１２の局面は次のように規定される。即ち、
施設検索を行うためのコンピュータプログラムであって、コンピュータを、
請求項９〜１１のいずれか一項に記載のコンピュータプログラムで生成された施設の属性データを、該施設に関連付けて保存する属性データ保存手段と、
施設検索のための質問を表示する質問表示手段と、
前記施設検索のための質問に対する回答の入力を受け付ける入力手段と、
前記入力された回答と前記属性データとに基づいて、該入力された回答に該当する施設を検索する施設検索手段、
として機能させる、コンピュータプログラム。
このように規定される第１２の局面の発明によれば、第４の局面と同等の効果を奏する。【００２０】
第９〜第１２のいずれかの局面に規定されるコンピュータプログラムを記録する記録媒体が第１３の局面として規定される。
【図面の簡単な説明】
【００２１】
【図１】本発明の実施の形態の属性データ生成装置１の構成を示すブロック図である。
【図２】（Ａ）はログデータベース３に格納される施設Ｘのログデータの一例を、（Ｂ）は属性データ保存部１１に保存されるデータの一例を示す図である。
【図３】本発明の他の実施の形態の属性データ生成装置２１の構成を示すブロック図である。
【図４】本発明の他の実施の形態の属性データ生成装置２１の動作の一例を示すフローチャートである。
【図５】本発明の他の実施の形態の属性データ生成装置２１を構成するコンピュータプログラムを示す。
【図６】本発明の実施の形態の施設検索装置３１の構成を示すブロック図である。
【図７】本発明の実施例の移動体端末装置５１の構成を示すブロック図である。
【発明を実施するための形態】
【００２２】
この発明の実施の形態の施設の属性データ生成装置を説明する。
図１に、属性データ生成装置１の概略構成を示す。
図１に示すように、この属性データ生成装置１は、ログデータベース３、対象施設特定部５、ログデータ抽出部７、属性データ生成部９及び属性データ保存部１１を備えている。
【００２３】
ログデータベース３には、対話型質問形式によって予め定められた施設を当てるゲームにおいて、該ゲームから得られる質問及び回答のログデータが該施設と関連付けて格納されている。ログデータベース３に格納される施設Ｘのログデータの一例を図２（Ａ）に示す。当該ログデータとして、上記質問に対する全てのユーザの回答を格納することとしても良いし、直近所定数のユーザの回答を格納することとしても良い。上記ログデータの他の例として、上記質問に、上記質問に対する回答の回答数や、上記質問に対する回答のバラツキ度合いを関連付けたデータであっても良い。
対象施設特定部５は、後述する属性データ生成部９における属性データを生成するための対象となる施設を特定する。当該特定の方法は、特に限定されず、後述する入力部を介して施設の名称を直接入力することとしても良いし、ディスプレイに表示された地図上の施設をタップすることにより特定することとしても良い。また、上記ログデータベース３に保存されたログデータに関連付けられた施設の名称をリストアップした場合には、当該リストアップされた施設をタップすることにより特定することとできる。
【００２４】
ログデータ抽出部７は、上記ログデータベース３から、上記対象施設特定部５で特定された対象施設に関するログデータを抽出する。当該抽出の方法は、特に限定されず、上記対象施設が関連付けられた全てのログデータを抽出することとしても良いし、所定条件を充足するログデータのみを抽出することとしても良い。当該所定条件としては、ログデータの取得時が所定期間内であること、上記質問に対する回答の回答数が所定閾値以上であること、上記質問に対する回答のバラツキ度合いが所定範囲であること、等とすることができる。
属性データ生成部９は、上記ログデータ抽出部７で抽出されたログデータに基づき、上記特定された対象施設に対応する属性データを生成する。当該生成の方法は特に限定されないが、例えば、上記対象施設に関連付けられたログデータ中の質問「楽しめる場所？」に対して、回答「Ｙｅｓ」の割合が所定閾値以上であるとき、当該対象施設が「楽しめる施設である」旨の属性データを生成する。また、上記回答に関連付けられた日時、曜日に関する情報に基づき、曜日別、時間帯別に属性データを生成することとしても良い。当該生成された属性データは、上記対象施設と関連付けて属性データ保存部１１に保存される。属性データ保存部１１に保存されるデータの一例を図２（Ｂ）に示す。
【００２５】
図３に、他の実施形態の属性データ生成装置２１を示す。図３において、図１と同一の要素には同一の符号を付して、その説明を部分的に省略する。
図３に示すのは、ログデータ中の質問に対する回答の信頼度を考慮して属性データを生成可能な属性データ生成装置２１である。すなわち、当該装置２１は、図１に示す装置１において、信頼度評価部２３を更に備え、属性データ生成部９及び属性データ保存部１１に代えて、属性データ生成部２５及び属性データ保存部２７を備える。
【００２６】
信頼度評価部２３は、上記ログデータ抽出部７で抽出されたログデータに基づいて、上記質問に対する回答の信頼度を評価する。例えば、質問に対する回答数が多ければ、対象施設に対する、より多くユーザの感覚を反映して属性データを生成することができるため、当該生成された属性データの信頼度は高くなる。また、質問に対する回答のバラツキ度合いが小さければ、対象施設に対して、多くのユーザが持つ統一的な感覚を反映して属性データを生成することができるため、当該生成された属性データの信頼度は高くなる。そこで、信頼度評価部２３は、上記抽出されたログデータにおける回答の信頼度を、質問に対する回答の回答数や、質問に対する回答のバラツキ度合い等に基づいて評価することとできる。当該評価の方法は特に限定されないが、前者の場合、回答数が所定閾値以上であるとき「信頼性あり」とすることができる。他の例として、回答数に応じて信頼度を５段階等で多段階評価することとしても良い。後者の場合には、統計的手法により求められる回答の偏り度合いに基づき、当該回答の偏り度合いが大きければ該回答を「信頼性あり」とすることとできる。また、上記と同様に、求められた偏り度合いに応じて５段階等で信頼度を評価しても良い。
この装置２１において、属性データ生成部２５は、上記ログデータ抽出部７及び信頼度評価部２３を参照して、上記抽出されたログデータのうち、上記「信頼性あり」と評価された質問及び回答に基づいて属性データを生成する。
【００２７】
図４を用いて、図３に示す属性データ生成装置２１の動作の一例を説明する。
まず、ステップ１では、対象施設特定部５は、属性データを生成する対象となる対象施設を特定する。例えば、後述する入力部を介し、ログデータベース３に保存されたログデータに基づきリストアップされた施設の名称から選択することとできる。
ステップ３では、ログデータ抽出部７は、ログデータベース３及び対象施設特定部５を参照して、ステップ１で特定された対象施設に関連付けられたログデータを抽出する。
【００２８】
ステップ５では、信頼度評価部２３は、ステップ３で抽出されたログデータのうち、質問Ｑｎに対する回答Ａｎを読み出す。
ステップ７では、信頼度評価部２３は、ステップ３で抽出されたログデータについて質問に対する回答の信頼度を質問毎に評価する。当該信頼度の評価は、例えば、質問Ｑｎに対する回答Ａｎの回答数が所定閾値以上であるか否かにより評価することとできる。当該評価の結果、回答数が所定閾値以上であるとき（ステップ７：Ｙｅｓ）、ステップ９へ進む。
ステップ９では、属性データ生成部２５は、ＱｎとＡｎとに基づいて、ステップ１で特定された対象施設の属性データを生成し、保存する。
一方、ステップ７においてＮｏのとき、質問Ｑｎの次の質問Ｑｎ＋１についてステップ５、７を実行する（ステップ１１、１３）。
【００２９】
図５は属性データ生成装置２１のハード構成を示すブロック図である。
この装置２１のハード構成は、一般的なコンピュータシステムと同様に中央制御装置２２１に対してシステムバス２２２を介して各種の要素が結合されたものである。
中央制御装置２２１は汎用的なＣＰＵ、メモリ制御装置、バス制御装置、割り込み制御装置更にはＤＭＡ（直接メモリアクセス）装置を含み、システムバス２２２もデータライン、アドレスライン、制御ラインを含む。システムバス２２２にはＲＡＭ（ランダムアクセスメモリ）２２３、不揮発メモリ（ＲＯＭ２２４，ＣＭＯＳ−ＲＡＭ２２５等）からなるメモリ回路が接続されている。ＲＡＭ２２３に格納されるデータは中央制御装置２２１や他のハードウエア要素によって読み取られたり、書き換えられたりする。不揮発メモリのデータは読み取り専用であり、装置をオフとしたときにもそこのデータは喪失されない。このハードウエアを制御するシステムプログラムはハードディスク装置２２７に保存されており、また、ＲＡＭ２２３に保存されており、ディスクドライブ制御装置２２６を介して適宜中央制御装置２２１に読みこまれて使用される。このハードディスク装置２２７には、汎用的な構成のコンピュータシステムを属性データ生成装置２１として動作させるためのコンピュータプログラムを保存する領域が確保される。
【００３０】
このハードディスク装置２２７の所定の領域が、対象施設特定部５、ログデータ抽出部７、信頼度評価部２３及び属性データ生成部２５で特定等された情報を保存する保存部用に割り付けられる。
ハードディスク装置２２７の他の領域がログデータベース及び生成された属性データを保存する保存部３、２７用に割り付けられる。
システムバス２２２には、フレキシブルディスク２３２に対してデータの読み込み及び書き込みを行うフレキシブルドライブ制御装置２３１、コンパクトディスク２３４に対してそれからデータの読み取りを行うＣＤ／ＤＶＤ制御装置２３３が接続されている。この例ではプリンタインターフェース２３７にプリンタ２３８を接続させている。
システムバス２２２にはキーボード・マウス制御装置２４１が接続され、キーボード２４２及びマウス２４３からのデータ入力を可能としている。モニタ２４５がモニタ制御装置２４４を介してシステムバス２２２に接続されている。モニタ２４５にはＣＲＴタイプ、液晶タイプ、プラズマディスプレイタイプなどを利用することができる。
各種の要素（モデムなど）の増設を可能とするため空きのスロット２５１が準備されている。
【００３１】
このコンピュータシステムからなる属性データ生成装置２１を稼動させるために必要なプログラム（ＯＳプログラム、アプリケーションプログラム（本発明のものも含む））は、各種の記録媒体を介してシステムの中にインストールされる。例えば非書き込み記録媒体（ＣＤ−ＲＯＭ、ＲＯＭカード等）、書き込み可能記録媒体（ＦＤ、ＤＶＤ等）、更にはネットワークＮを利用して通信媒体の形式でインストールすることも可能である。勿論、不揮発メモリ２２４、２２５やハードディスク装置２２７に予めこれらのプログラムを書きこんでおくこともできる。
【００３２】
図６に、この発明の実施の形態の施設検索装置３１の概略構成を示す。図６において、図１及び図３と同一の符号を付して、その説明を部分的に省略する。
図６に示すのは、表示された施設の属性に関する質問と、当該質問に対してユーザが入力した回答とに基づいて、ユーザが所望する属性が付与された施設を検索可能な施設検索装置３１である。すなわち、当該施設検索装置３１は、属性データ保存部３３、質問表示部３５、入力部３７及び施設検索部３９を備える。
【００３３】
属性データ保存部３３には、上述の属性データ生成装置で生成された施設の属性データが、当該施設と関連付けて保存されている。
質問表示部３５は、施設検索を行うための質問を表示する。当該表示される質問は、例えば、属性データ保存部３３を参照して、当該属性の有無を問う質問を表示することとできる。例えば、「行くなら家族である」旨の属性を問う質問として、「家族で行ける施設をお探しですか？」等の質問を表示することとできる。当該質問表示部３５は、後述の入力部３７との対話形式で質問を表示することとしても良いし、質問リストを一括表示することとしても良い。
【００３４】
入力部３７は、上記質問に対するユーザの回答を受け付ける。当該入力の方法は特に限定されないが、例えば、上記表示された質問「屋内施設をお探しですか？」に対して、回答「Ｙｅｓ」、「Ｎｏ」の選択肢を表示し、当該選択肢の中からユーザが所望する選択肢の選択操作を受け付けることで、ユーザの回答を入力することとできる。入力部３７は、当該入力された回答を上記表示された質問とともに後述の施設検索部３９へ送る。
施設検索部３９は、属性データ保存部３３を参照して、上記入力された回答に該当する施設を検索する。当該検索の方法としては、上記入力された回答のすべてを充足する施設を検索結果とし、当該回答のすべてを充足する施設がない場合には該当する施設がない旨の検索結果とすることとできる。他の例としては、当該回答のすべてを充足する施設がない場合であっても、当該回答の最多数を充足する施設を検索結果とすることとできる。この場合、検索結果と併せて、ユーザの所望する施設と検索結果で得られた施設とのマッチ率を提供しても良い。
【００３５】
図７に示すのは、図６に示す装置３１を備えた移動体端末装置５１である。図７において、図１、図３及び図６と同一の要素には同一の符号を付して、その説明を部分的に省略する。
この移動体端末装置５１は、制御部５１０、メモリ部５１１、入力部５１２、出力部５１３、インターフェース部５１４、属性データ保存部３３、質問表示部３５、入力部３７及び施設検索部３９を備えている。
【００３６】
制御部５１０はＣＰＵ、バッファメモリその他の装置を備えたコンピュータ装置であり、移動体端末装置５１を構成する他の要素を制御する。
メモリ部５１１にはコンピュータプログラムが保存され、このコンピュータプログラムはコンピュータ装置である制御部５１０に読み込まれて、これを機能させる。このコンピュータプログラムは、移動体端末装置の記憶装置としての内蔵ハードディスク又は内蔵メモリ、移動体端末装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
入力部３７は、例えば、ユーザの指令の入力に用いられる。具体的には、上記質問表示部３５によって表示される質問に対する回答の入力等に用いられる。入力部３７として、マウス、ライトペン又はディスプレイの表示内容と協働するタッチパネル等のポインティングデバイスやキーボード又はマイクロホン等の音声入力装置を用いることができる。
【００３７】
出力部５１３はディスプレイを含み、上記質問表示部３５で表示するための質問や、回答の入力画面、施設検索部３９における検索結果、その他の情報を表示する。この出力部５１３は音声発信部を含むこともできる。
インターフェース部５１４は移動体端末装置５１を無線ネットワーク等へ連結させる。
【００３８】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００３９】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００４０】
１  ２１  属性データ生成装置
３  ログデータベース
５  対象施設特定部
７  ログデータ抽出部
９  ２５  属性データ生成部
１１  ２７  ３３  属性データ保存部
２３  信頼度評価部
３１  施設検索装置
３５  質問表示部
３７  入力部
３９  施設検索部
【図１】
2014112106.tif 000003
【図２】
2014112106.tif 000004
【図３】
2014112106.tif 000005
【図４】
2014112106.tif 000006
【図５】
2014112106.tif 000007
【図６】
2014112106.tif 000008
【図７】
2014112106.tif 000009
【手続補正書】
【提出日】平成25年4月12日(2013.4.12)
【手続補正１】
【補正対象書類名】図面
【補正対象項目名】図１
【補正方法】変更
【補正の内容】
【図１】
2014112106.tif 000010
【手続補正２】
【補正対象書類名】図面
【補正対象項目名】図３
【補正方法】変更
【補正の内容】
【図３】
2014112106.tif 000011
【国際調査報告】
2014112106.tif 000012
2014112106.tif 000013